(57)【特許請求の範囲】
【請求項１】
所定の画像を表示する画像表示手段を備えた遊技機において、
光透過性を有する装飾部と、
発光手段が設けられ且つ前記装飾部の後側の収納位置と前記画像表示手段の前側の作動位置とにわたって移動可能な可動体とを備え、
前記可動体は基端側の回転軸心廻りに回動可能な第１アームと、
先端側が前記第１アームの先端側に連結され且つ該第１アームに連動して基端側の回転軸心廻りに回動可能な第２アームとを備え、
前記アームの先端側に、前記発光手段からの光を透過する透過部と、該透過部の周囲に形成された非透過部とを備え、
前記装飾部は背後側を透視不能にし且つ前記発光手段からの光を拡散させる光拡散部を備え、
前記収納位置と前記作動位置とで前記発光手段を異なる発光態様で発光させる発光制御手段を備えた
ことを特徴とする遊技機。
【請求項２】
前記第１アームの先端側に配置された前記発光手段を備えた
ことを特徴とする請求項１に記載の遊技機。
【請求項３】
前記第１アームの基端側を支持する回動手段と、
前記第１アームに連動して前記第２アームが回動するときに該第２アームの基端側を摺動可能に支持する摺動支持部とを備えた
ことを特徴とする請求項１又は２に記載の遊技機。
【請求項４】
前記第１アームは前記発光手段からの光により発光する先端側発光部及び基端側発光部を備え、
前記第２アームは前記発光手段からの光により発光する基端側発光部を備え、
前記装飾部には前記収納位置のときに前記第１アームの前記先端側発光部が後側に位置する第１装飾部と、
前記作動位置のときに前記第１アームの前記基端側発光部が後側に一致する第２装飾部と、
前記作動位置のときに前記第２アームの前記基端側発光部が後側に一致する第３装飾部とがある
ことを特徴とする請求項１〜３の何れかに記載の遊技機。
【発明の詳細な説明】
【技術分野】
【０００１】
本発明は、パチンコ機等の遊技機に関するものである。
【背景技術】
【０００２】
パチンコ機等の遊技機では、遊技盤の前側にガイドレールで取り囲まれた遊技領域が設けられており、画像表示手段（液晶ディスプレイ等）を取り付けたセンターケースが遊技領域の略中央箇所に配設され、センターケースの正面側の上部中央箇所に装飾部品が配置されるとともにこの装飾部品の前側位置で昇降可能な可動体が配設されたものがある。この装飾部品は、複数個のＬＥＤ（発光ダイオード）が実装されたＬＥＤ実装基板と、このＬＥＤ実装基板のＬＥＤ実装面側に配設されてＬＥＤからの光を導光するレンズとを備え、レンズを発光させて装飾表示を行う。また、この可動体は、複数個のＬＥＤ（発光ダイオード）が実装されたＬＥＤ実装基板によって発光するランプを備え、ランプ発光による装飾表示を行うようになっている（例えば特許文献１）。
【先行技術文献】
【特許文献】
【０００３】
【特許文献１】特開２０１１−２２４０８２号公報
【発明の概要】
【発明が解決しようとする課題】
【０００４】
ところで、この種の遊技機では、センターケースは、遊技者が注目する画像表示手段の表示画面の周縁箇所に位置しており、遊技機の美的印象を左右する構成であることから、当該センターケースの装飾部品と可動体にそれぞれ発光部品を配設しているが、発光部品点数が多くなるという問題がある。だからと言って、発光部品点数増加を抑えるために装飾部品又は可動体のうちの一方の発光部品を設けないようにすると、当然に発光装飾性に劣り、発光部品を設けないとする訳にもいかない。
【０００５】
本発明は、上記事情に鑑みてなされたものであり、発光部品点数を低減しつつ装飾演出効果を向上させることができる遊技機を提供することを目的とする。
【課題を解決するための手段】
【０００６】
本発明は、所定の画像を表示する画像表示手段を備えた遊技機において、光透過性を有する装飾部と、発光手段が設けられ且つ前記装飾部の後側の収納位置と前記画像表示手段の前側の作動位置とにわたって移動可能な可動体とを備え、前記可動体は基端側の回転軸心廻りに回動可能な第１アームと、先端側が前記第１アームの先端側に連結され且つ該第１アームに連動して基端側の回転軸心廻りに回動可能な第２アームとを備え、前記アームの先端側に、前記発光手段からの光を透過する透過部と、該透過部の周囲に形成された非透過部とを備え、前記装飾部は背後側を透視不能にし且つ前記発光手段からの光を拡散させる光拡散部を備え、前記収納位置と前記作動位置とで前記発光手段を異なる発光態様で発光させる発光制御手段を備えたものである。
【０００７】
また、前記第１アームの先端側に配置された前記発光手段を備えたものでもよい。
【０００８】
また、前記第１アームの基端側を支持する回動手段と、前記第１アームに連動して前記第２アームが回動するときに該第２アームの基端側を摺動可能に支持する摺動支持部とを備えたものでもよい。
【００１０】
また、前記第１アームは前記発光手段からの光により発光する先端側発光部及び基端側発光部を備え、前記第２アームは前記発光手段からの光により発光する基端側発光部を備え、前記装飾部には前記収納位置のときに前記第１アームの前記先端側発光部が後側に位置する第１装飾部と、前記作動位置のときに前記第１アームの前記基端側発光部が後側に一致する第２装飾部と、前記作動位置のときに前記第２アームの前記基端側発光部が後側に一致する第３装飾部とがあってもよい。
【発明の効果】
【００１２】
本発明によれば、発光部品点数を低減しつつ装飾演出効果を向上させることができる遊技機を提供することができる。
【図面の簡単な説明】
【００１３】
【図１】本発明の第１の実施形態を示すパチンコ機の斜視図である。
【図２】同パチンコ機の正面図である。
【図３】同じくパチンコ機のセンターケース箇所のＡ−Ａ線断面図である。
【図４】同じく遊技盤のセンターケース箇所の拡大正面図である。
【図５】可動役物が作動位置にあるときのセンターケース右上箇所の部分正面図である。
【図６】収納位置と作動位置とに変位する可動役物を備えた後構造体の正面図である。
【図７】センターケース箇所のＢ−Ｂ線断面図である。
【図８】センターケース箇所のＣ−Ｃ線断面図である。
【図９】センターケース箇所のＤ−Ｄ線断面図である。
【図１０】（ａ）は可動役物が収納位置にあるとき（ｂ）は可動役物が作動位置にあるときのセンターケース及び可動役物の発光態様を示す図である。
【図１１】可動役物に関する制御系のブロック図である。
【図１２】変形例のセンターケース及び可動役物の発光態様を示す図である。
【図１３】変形例のセンターケース及び可動役物の発光態様を示す図である。
【発明を実施するための形態】
【００１４】
以下、本発明の実施形態を図面に基づいて詳述する。図１〜図１１は本発明をパチンコ機に採用した一実施形態を例示している。図１において、遊技機１は、矩形状の外枠２と、この外枠２の前側に開閉自在に枢着された前枠３とを備えている。前枠３の前側には、ガラス扉４と前面板５とが上下に配置され、このガラス扉４と前面板５とが前枠３に開閉自在に枢支されている。
【００１５】
前面板５には、その前側に、発射手段（図示省略）に供給するための遊技球を貯留する貯留皿６、発射手段を作動させるための発射ハンドル７等が設けられている。
【００１６】
ガラス扉４に設けられた窓孔８には例えば２枚のガラス板９が嵌め込まれ、その後側には図２に示す遊技盤１１が前枠３に対して例えば前側から着脱自在に装着されている。図２に示すように、遊技盤１１の前面側には、発射手段から発射された遊技球を案内するガイドレール１２が環状に装着されると共に、そのガイドレール１２の内側の遊技領域１３に、センターケース１４、普通図柄始動手段１５、特別図柄始動手段１６、大入賞手段１７、普通入賞手段１８等の各種遊技部品が配置されている。なお、ガラス扉４の閉状態では、ガラス板９は、遊技盤１１の遊技領域１３に対して遊技球が流下可能な間隔（遊技球の直径よりも大きく遊技球２個分よりも小さい間隔）を空けて位置している。
【００１７】
センターケース１４は、図３に示すように、遊技盤１１の前後方向に開口した装着孔１１ａ（開口部）に対して前側から着脱自在に装着される前構造体２１（枠部材）と、液晶式その他の画像表示手段２２が装着され且つ前構造体２１に対応して遊技盤１１の裏側に着脱自在に装着される後構造体２３（後側部材）と、を備えている。
【００１８】
前構造体２１は、図２に示すように、装着孔１１ａに沿って配置される環状の装飾枠２４と、この装飾枠２４の下部側に沿って左右方向に配置され且つ入球口２５に入球してワープ通路２５ａを通って案内された遊技球を自由に転動させて前側に落下させるステージ２６とを備え、装飾枠２４上に、普通図柄表示手段２７、特別図柄表示手段２８、普通保留個数表示手段２９等が設けられている。
【００１９】
前構造体２１は、例えば、正面視で装飾枠２４の外縁箇所に沿って複数箇所（図２では７箇所）に形成されたネジ孔２１ａにネジを挿入して遊技盤１１に螺入することで、遊技盤１１の前側にネジ止め固定されている。なお、前構造体２１を、遊技盤１１に対して、係止固定、嵌合（遊嵌も含む）固定、接着固定、スライド支持固定、打ち付け固定など固定してもよい。
【００２０】
なお、普通図柄表示手段２７、特別図柄表示手段２８又は普通保留個数表示手段２９の少なくとも一つを、装飾枠２４ではなく、画像表示手段２２において画像表示するようにしても良いし、遊技領域１３外の所定箇所に設けるようにしても良い。
【００２１】
また、後構造体２３は、図３、図６に示すように、その後側に装着される画像表示手段２２の表示画面２２ａに対応する例えば矩形状の表示窓３１が形成された背壁部３２と、この背壁部３２の外縁側から前向きに延設された周壁部３３とを一体に備え、遊技盤１１の後側から当該遊技盤１１の装着孔１１ａを含む箇所に取り付けられている。
【００２２】
後構造体２３は、例えば、図６に示すように、周壁部３３の先端側に形成されたフランジ部３４の複数箇所（図６では５箇所）に形成されたネジ孔３４ａにネジを挿入して遊技盤１１に螺入することで、遊技盤１１の後側にネジ止め固定されている。なお、後構造体２３を、遊技盤１１に対して、係止固定、嵌合（遊嵌も含む）固定、接着固定、スライド支持固定、打ち付け固定など固定してもよい。
【００２３】
画像表示手段２２は、図３に示すように、後構造体２３において装着孔１１ａ後方に形成される開口空間２３ａを介して表示画面２２ａが視認可能に当該後構造体２３の後側に配設されている。なお、画像表示手段２２は、図２に示すように演出図柄表示手段３５と特別保留個数表示手段３６とを備えている。この特別保留個数表示手段３６を装飾枠２４に設けるようにしても良いし、遊技領域１３外の所定箇所に設けるようにしても良い。
【００２４】
ところで、図２に示すように、普通図柄表示手段２７は、普通図柄を変動表示するためのもので、例えば「○」「×」の２種類の普通図柄に対応する２個の発光体（例えばＬＥＤ）により構成されており、通過ゲート等よりなる普通図柄始動手段１５が遊技球を検出することを条件にそれら２つの発光体が所定時間交互に点滅して、普通図柄始動手段１５による遊技球検出時に取得された当たり判定乱数値が予め定められた当たり判定値と一致する場合には当たり態様に対応する「○」側の発光体が発光した状態で、それ以外の場合には外れ態様に対応する「×」側の発光体が発光した状態で、点滅が終了するようになっている。
【００２５】
また、普通図柄表示手段２７の変動表示中、又は後述する普通利益状態中に普通図柄始動手段１５が遊技球を検出した場合には、その検出時に取得された当たり判定乱数値が予め定められた上限保留個数、例えば４個を限度として記憶されると共に、例えば上限保留個数と同数の発光体よりなる普通保留個数表示手段２９がその発光個数により当たり判定乱数値の記憶個数（以下、普通保留個数という）を表示して、その時点での普通保留個数を遊技者に報知するようになっている。
【００２６】
特別図柄始動手段１６は、特別図柄表示手段２８による図柄変動を開始させるためのもので、例えば上下２つの特別始動口１６ａ，１６ｂを備え、センターケース１４の下側等に配置されている。上側の特別始動口１６ａは開閉手段等を有しない非作動式入賞口、下側の特別始動口１６ｂは開閉手段３８により開閉可能な作動式入賞口で、普通図柄表示手段２７の変動後の停止図柄が当たり態様となって普通利益状態が発生したときに、開閉手段３８が所定時間、所定回数だけ閉状態から開状態に変化するように構成されている。
【００２７】
特別図柄表示手段２８は、１個又は複数個、例えば１個の特別図柄（遊技図柄）を変動表示可能な７セグメント式等の表示手段により構成されており、特別図柄始動手段１６の特別始動口１６ａ，１６ｂの何れかに遊技球が入賞することを条件に特別図柄を所定時間変動表示して、特別始動口１６ａ，１６ｂへの入賞時に取得された大当たり判定乱数値が予め定められた大当たり判定値と一致する場合には所定の大当たり態様で、それ以外の場合には外れ態様で停止するようになっている。
【００２８】
特別図柄には、例えば大当たり態様及び外れ態様が夫々１又は複数種類ずつ設けられている。なお、それら各態様には夫々数字図柄等を割り当ててもよいし、遊技者がその特別図柄の種類を容易に区別できないように、任意の線や点の組み合わせのような特別な意味を持たない図柄を割り当ててもよい。
【００２９】
また、特別図柄の変動表示中、又は後述する特別利益状態中に特別始動口１６ａ，１６ｂに遊技球が入賞した場合には、その入賞時に取得された大当たり判定乱数値等が夫々所定の上限保留個数、例えば各４個を限度として記憶されると共に、特別保留個数表示手段３６が大当たり判定乱数値の記憶個数（以下、特別保留個数という）を表示して、その時点での特別保留個数を遊技者に報知するようになっている。
【００３０】
演出図柄表示手段３５は、例えば特別図柄表示手段２８による特別図柄の変動表示と並行して演出図柄を変動表示するもので、１個又は複数個、例えば左右方向に３個の演出図柄を例えば各種の演出画像と共に画像表示手段２２の表示画面２２ａに変動表示可能に構成されており、特別図柄始動手段１６の特別始動口１６ａ，１６ｂの何れかに遊技球が入賞することを条件に特別図柄の変動開始と同時に所定の変動パターンに従って演出図柄の変動を開始すると共に、特別図柄の変動停止と同時に最終停止するように、演出図柄を左、右、中等の所定の順序で停止させるようになっている。
【００３１】
特別保留個数表示手段３６は、特別保留個数を報知するもので、表示画面２２ａ上の所定箇所（例えば表示画面２２ａの下側箇所）に特別保留個数分のシンボルを表示するようになっている。
【００３２】
大入賞手段１７は、遊技球が入賞可能な開状態と入賞不可能な閉状態とに切り換え可能な開閉板３９を備えた作動式入賞手段で、特別図柄表示手段２８の変動後の特別図柄が大当たり態様となることに基づいて特別利益状態が発生したときに、開閉板３９が所定の開放パターンに従って前側に開放して、その上に落下した遊技球を内部へと入賞させるようになっている。
【００３３】
また、前構造体２１は、図２、図３に示すように、そのステージ２６の奥側端部箇所に位置するように透明薄板状の透明区画部材４０が取り付けられている。この透明区画部材４０は、ステージ２６を転動する遊技球が当該ステージ２６よりも奥側に進入することを阻止するように当該ステージ２６とそれよりも奥側とを区画するものである。つまり、透明区画部材４０は、ステージ２６を転動する遊技球が開口空間２３ａに進入することを阻止するようにステージ２６と開口空間２３ａとを区画している。
【００３４】
さらに、この前構造体２１は、図３，図４に示すように、その正面視で上部中央箇所に位置する中央装飾部４１（第１装飾部）を備えている。中央装飾部４１は、光透過性部材により形成されている。この中央装飾部４１は、例えば有色で且つ光透過性の樹脂成型品としている。また、中央装飾部４１は、その後側に、入射光を拡散させる光拡散部４２が形成されている。この光拡散部４２は、中央装飾部４１の後側全体にわたって形成された複数の微小凹凸（例えば数ミリ程度の大きさの凹凸）が挙げられる。
【００３５】
中央装飾部４１は有色で且つ光拡散部４２（後側全面に形成された微小凹凸）を備えているため、正面視でその背後側を透視することができないようになっている。つまり、後述する可動役物５０において中央装飾部４１の背後に隠れる箇所（第１、第２可動アーム６０，８０の連結側箇所）については中央装飾部４１を介して見えないようになっている。なお、中央装飾部４１が有色であること又は光拡散部４２を備えていることによって、その背後側が透視できないようにしてもよい。
【００３６】
なお、中央装飾部４１の後側箇所に光拡散部４２を形成しているが、中央装飾部４１の前側箇所に光拡散部４２を形成してもよいし、中央装飾部４１を、光拡散粒子を含んだ光透過樹脂成形品とするなどとしてもよい。
【００３７】
ところで後構造体２３は、図３、図６に示すように、その前面側上部箇所に可動役物５０を備えている。この可動役物５０は、図３、図６に示すように、その内部に、複数色で発光可能なＬＥＤ５１（発光部）を複数個実装したＬＥＤ実装基板５３（発光手段）を備え、前構造体２１の中央装飾部４１の後側に位置する収納位置（図１０（ａ）参照）と、画像表示手段２２の前側に位置する作動位置（図１０（ｂ）参照）とにわたって移動可能な構造となっている。以下に、可動役物５０の構造について詳細に説明する。
【００３８】
具体的には、可動役物５０は、図６に示すように、複数色で発光可能なＬＥＤ５１を複数個実装したＬＥＤ実装基板５３を内部に備えた第１可動アーム６０と、この第１可動アーム６０をその基端側を回転軸心として回動させる回動機構７５と、先端側が第１可動アーム６０の先端側と回動可能に連結され且つＬＥＤ実装基板５３を備えた第２可動アーム８０と、第１可動アーム６０の回動に連動して第２可動アーム８０が回動するに際して当該第２可動アーム８０の基端側を摺動可能に支持する摺動支持部９０と、を備えている。
【００３９】
つまり、この可動役物５０は、その第１、第２可動アーム６０，８０の連結側部分が画像表示手段２２の前側に位置する突出姿勢状態（図１０（ｂ）参照）と、前記連結側部分が中央装飾部４１の後側に位置する収納姿勢状態（図１０（ａ）参照）とに変位可能となっている。この実施形態では、図１０（ｂ）に示すように、突出姿勢状態は、第１、第２可動アーム６０，８０がその連結箇所で折れ曲がった例えばＶ字屈曲状態（屈曲状態）としており、収納姿勢状態では、図１０（ａ）に示すように、Ｖ字屈曲状態とは逆に折れ曲がった逆Ｖ字屈曲状態（逆屈曲状態）としている。
【００４０】
第１可動アーム６０は、図６〜図８に示すように、当該第１可動アーム６０の前面側に位置し且つ正面視で基端側から先端側に向けて湾曲した湾曲胴部６１とこの湾曲胴部６１の先端側に位置する円形状の頭部６２とを有する第１アーム飾り６３（飾り部材）を備えている。この第１アーム飾り６３は、当該第１アーム飾り６３の頭部６２の前面箇所に形成された円形の第１貫通部６２ａ（被挿入部）と、当該頭部６２の外形を構成し且つ光を通さない非透過性の頭部外形部６４（非透過部）と、当該第１アーム飾り６３の湾曲胴部６１の外形を構成し且つ光を通さない胴部外形部６５と、当該湾曲胴部６１の前面箇所に複数形成された三角形の第２貫通部６６と、を備えている。
【００４１】
さらに、この第１可動アーム６０は、図６〜図８に示すように、第１貫通部６２ａに挿入される円形の第１挿入部６７（挿入部、先端側発光部、透過部）を有し且つ第１アーム飾り６３の頭部６２の裏面側に取り付けられる光透過性で円形状の頭部飾りレンズ６８（飾りレンズ）と、第２貫通部６６に挿入される三角形の第２挿入部６９が複数形成され且つ第１アーム飾り６３の湾曲胴部６１の裏面側に取り付けられる光透過性で円弧状の胴部飾りレンズ７０と、この頭部飾りレンズ６８及び胴部飾りレンズ７０の後側に位置し且つ第１アーム飾り６３が取り付けられる第１アームベース７１と、を備えている。胴部飾りレンズ７０の背面側（ＬＥＤ実装基板５３と対向する側）で第２挿入部６９の箇所には、例えば複数の微小凹凸が形成されており、第２挿入部６９においてＬＥＤ５１が対応する箇所を中心として拡大発光するようになっている。
【００４２】
第１可動アーム６０のＬＥＤ実装基板５３は、図６に示すように、その長手方向の先端側に配設されたＬＥＤ群５２（一部の発光部：例えば８個のＬＥＤ５１）が第１挿入部６７の後側箇所に位置するように、第１アームベース７１の前側に配設されている。なお、ＬＥＤ群５２として、８個以外のＬＥＤ５１を採用してもよいし、単数のＬＥＤ５１を採用してもよい。また、このＬＥＤ実装基板５３は、ＬＥＤ群５２以外のＬＥＤ５１（他の発光部：湾曲胴部６１に位置する４個のＬＥＤ５１）が胴部飾りレンズ７０の各第２挿入部６９の後側箇所にそれぞれ位置している。また、図４に示すように、第１可動アーム６０の基端側から３番目のＬＥＤ５１（特定の発光部）に対応する第２挿入部６９は、第１可動アーム６０の収納姿勢状態において中央装飾部４１に隠れない箇所に位置している。なお、第１可動アーム６０は、少なくとも先端側にＬＥＤ実装基板５３を備えたものとしてもよい。
【００４３】
ＬＥＤ実装基板５３は、複数個のＬＥＤ５１を個別に発光可能としている。つまり、第１アーム飾り６３の頭部６２の第１貫通部６２ａに挿入された頭部飾りレンズ６８の第１挿入部６７と、第１アーム飾り６３の湾曲胴部６１の第２貫通部６６に挿入された胴部飾りレンズ７０の第２挿入部６９とが、ＬＥＤ実装基板５３の対応するＬＥＤ５１からの光でそれぞれ発光可能となっている。
【００４４】
回動機構７５は、図６、図８に示すように、後構造体２３に取り付けられたステッピングモータ７６を備え、ステッピングモータ７６の回動軸７７（例えば、キー付き軸、スプライン軸）が第１アームベース７１の基端側下部箇所の締結部７８（例えばボス）に締結された構成（例えば、キー締結、スプライン嵌め合い）としており、図６においてステッピングモータ７６の回動軸７７が正転（時計回りに回動）することで第１可動アーム６０が時計回りに回動し、図６においてステッピングモータ７６の回動軸７７が反転（反時計回りに回動）することで第１可動アーム６０が反時計回りに回動する。
【００４５】
また、回動機構７５は、図６に示すように、第１可動アーム６０の基端側上部箇所に後方に突出した突出ピン７９と、この突出ピン７９が挿入され且つ後構造体２３に形成された円弧状の案内溝２３ｂとを備え、第１可動アーム６０の回動を案内するようになっている。また、この案内溝２３ｂは、第１可動アーム６０の回動範囲が所定範囲（例えば４５度程度）となるように、その円弧方向長さが決められており、この案内溝２３ｂの範囲内で第１可動アーム６０が回動できるように規制している。
【００４６】
第１可動アーム６０は、例えば以下のように組み立てられている。図８に示すように、第１アームベース７１の前側にＬＥＤ実装基板５３の裏面側（半田面側）を対向させた状態で、ＬＥＤ実装基板５３に複数形成された貫通孔５３ａに挿入したネジ５４を第１アームベース７１の前側に形成された複数のボス部７２に螺入し、ＬＥＤ実装基板５３を第１アームベース７１にネジ止めする。ＬＥＤ実装基板５３は、第１アームベース７１に対して間隔を空けて当該第１アームベース７１のボス部７２で支持された状態となっている。また、頭部飾りレンズ６８と胴部飾りレンズ７０とが裏面側の各箇所にそれぞれ取り付けられた第１アーム飾り６３を、第１アームベース７１の前側に合わせた状態とし、第１アームベース７１のボス受け部７３に挿入したネジ７４を第１アーム飾り６３のボス部６３ａに螺入することで第１可動アーム６０が組み立てられる。頭部飾りレンズ６８及び胴部飾りレンズ７０の各裏面側に突出形成された複数の支持凸部９５がＬＥＤ実装基板５３の前面側（実装面側）の複数の当接部５３ｂにそれぞれ当接した状態となっている。
【００４７】
第２可動アーム８０は、図６、図７に示すように、当該第２可動アーム８０の前面側に位置し且つ正面視で基端側から先端側に向けて湾曲した湾曲胴部８１を有する第２アーム飾り８３を備えている。この第２アーム飾り８３は、当該第２アーム飾り８３の湾曲胴部８１の外形を構成し且つ光を通さない胴部外形部８５と、当該湾曲胴部８１の前面箇所に複数形成された三角形の第２貫通部８６と、を備えている。
【００４８】
さらに、この第２可動アーム８０は、図６、図７に示すように、第２貫通部８６に挿入される三角形の第２挿入部８９が複数形成され且つ第２アーム飾り８３の湾曲胴部８１の裏面側に取り付けられる光透過性で円弧状の胴部飾りレンズ８４と、この胴部飾りレンズ８４の後側に位置し且つ第２アーム飾り８３が取り付けられる第２アームベース８７と、第１可動アーム６０の回動に追動して第２可動アーム８０が回動可能に第２アームベース８７の先端側と第１アームベース７１の先端側とを連結する連結部８８と、を備えている。
【００４９】
第２可動アーム８０のＬＥＤ実装基板５３は、第２挿入部８９の後側箇所にＬＥＤ５１が位置するように、第２アームベース８７の前側に配設されている。つまり、第２アーム飾り８３の湾曲胴部８１の第２貫通部８６に挿入された胴部飾りレンズ８４の第２挿入部８９が、ＬＥＤ実装基板５３の対応するＬＥＤ５１からの光で発光可能となっている。ＬＥＤ実装基板５３は、複数個のＬＥＤ５１を個別に発光可能としている。胴部飾りレンズ８４の背面側（ＬＥＤ実装基板５３と対向する側）で第２挿入部８９の箇所には、例えば複数の微小凹凸が形成されており、第２挿入部８９においてＬＥＤ５１が対応する箇所を中心として拡大発光するようになっている。
【００５０】
連結部８８は、図３、図７に示すように、第１アームベース７１の先端側で後面箇所に突出形成されたピン部８８ａと、一端側がピン部８８ａに対して回動可能に締結され且つ他端側が第２アームベース８７に取り付けられた（例えばネジ８８ｃによって第２アームベース８７にネジ止めされた）連結板８８ｂとを備えており、第１可動アーム６０の回動に第２可動アーム８０が追動するようにしている。
【００５１】
摺動支持部９０は、図６、図７及び図９に示すように、第２アームベース８７の基端側に横長形成された摺動溝９１と、後構造体２３における摺動溝９１に対応する箇所に前方に突出形成され且つ当該摺動溝９１に挿入支持される支持ピン９２とを備えている。第１可動アーム６０の回動に追動して第２可動アーム８０が回動するに際して第２可動アーム８０が横滑り可能なように第２可動アーム８０の基端側を摺動支持している。
【００５２】
第２可動アーム８０は、例えば以下のように組み立てられている。図７に示すように、第２アームベース８７の前側にＬＥＤ実装基板５３の裏面側（半田面側）を対向させた状態で、ＬＥＤ実装基板５３に複数形成された図示省略の貫通孔（図８の貫通孔５３ａと同様）に挿入した図示省略のネジ（図８のネジ５４と同様）を第２アームベース８７の前側に形成された複数の図示省略のボス部（図８のボス部７２と同様）に螺入し、ＬＥＤ実装基板５３を第２アームベース８７にネジ止めする。ＬＥＤ実装基板５３は、第２アームベース８７に対して間隔を空けて当該第２アームベース８７の図示省略のボス部（図８のボス部７２と同様）で支持された状態となっている。また、胴部飾りレンズ８４が裏面側の各箇所に取り付けられた第２アーム飾り８３を、第２アームベース８７の前側に合わせた状態とし、第２アームベース８７のボス受け部７３に挿入したネジ７４を第２アーム飾り８３のボス部８３ａに螺入することで第１可動アーム６０が組み立てられる。胴部飾りレンズ８４の各裏面側に突出形成された複数の支持凸部９５がＬＥＤ実装基板５３の前面側（実装面側）の複数の当接部５３ｂにそれぞれ当接した状態となっている。
【００５３】
図３，図４に戻って、前構造体２１は、中央装飾部４１の他に、中央装飾部４１の左側箇所に位置する左部装飾部４３（第２装飾部）と、中央装飾部４１の右側箇所に位置する右部装飾部４４（第３装飾部）とを備えている。
【００５４】
左部装飾部４３は、図４に示すように、収納位置に位置する第１可動アーム６０の複数の第２挿入部６９のうち最も基端側にある第２挿入部６９（基端側発光部）が後側に位置し、且つ、当該最基端側の第２挿入部６９に対応する形状の透過装飾部４５と、この透過装飾部４５の周囲所定箇所（例えば右上箇所）に形成された貫通部４６とを備えている。また、この左部装飾部４３は、透過装飾部４５及び貫通部４６を除く外形部位を例えば光を通さない非透過部としている。
【００５５】
可動役物５０が収納位置に収納されているときには、図１０（ａ）に示すように、第１可動アーム６０の最基端側の第２挿入部６９が左部装飾部４３の透過装飾部４５に不一致状態で位置している。より具体的には最基端側の第２挿入部６９が、左部装飾部４３の透過装飾部４５ではなくその隣の貫通部４６に位置しており、図８、図１０（ａ）に示すように、左部装飾部４３の貫通部４６を介して第１可動アーム６０の最基端側の第２挿入部６９の発光が視認可能である。
【００５６】
これに対して、可動役物５０が作動位置にあるときには、図１０（ｂ）に示すように、第１可動アーム６０の最基端側の第２挿入部６９が左部装飾部４３の透過装飾部４５に一致する状態で位置している。つまり、図１０（ｂ）に示すように、ＬＥＤ実装基板５３において第２挿入部６９の背後に位置するＬＥＤ５１からの光が当該第２挿入部６９に入射され、この第２挿入部６９から出射された光が左部装飾部４３の透過装飾部４５の後側箇所に照射され、この透過装飾部４５が発光する。
【００５７】
また、右部装飾部４４は、図４に示すように、収納位置に位置する第２可動アーム８０の複数の第２挿入部８９のうち最も基端側にある第２挿入部８９（基端側発光部）が後側に位置し、且つ、当該最基端側の第２挿入部８９に対応する形状の透過装飾部４５と、この透過装飾部４５の周囲所定箇所（例えば左上箇所）に形成された貫通部４６とを備えている。また、この右部装飾部４４は、透過装飾部４５及び貫通部４６を除く外形部位を例えば光を通さない非透過部としている。
【００５８】
可動役物５０が収納位置に収納されているときには、図１０（ａ）に示すように、第２可動アーム８０の最基端側の第２挿入部８９が右部装飾部４４の透過装飾部４５に不一致状態で位置している。より具体的には最基端側の第２挿入部８９が、右部装飾部４４の透過装飾部４５ではなくその隣の貫通部４６に位置しており、図７、図１０（ａ）に示すように、右部装飾部４４の貫通部４６を介して第２可動アーム８０の最基端側の第２挿入部８９の発光が視認可能である。
【００５９】
これに対して、可動役物５０が作動位置にあるときには、図１０（ｂ）に示すように、第２可動アーム８０の最基端側の第２挿入部８９が右部装飾部４４の透過装飾部４５に一致する状態で位置している。つまり、図５に示すように、第２可動アーム８０の最基端側の第２挿入部８９が右部装飾部４４の透過装飾部４５に一致する状態で位置しており、図９に示すように、ＬＥＤ実装基板５３において第２挿入部８９の背後に位置するＬＥＤ５１からの光が当該第２挿入部８９に入射され、この第２挿入部８９から出射された光が右部装飾部４４の透過装飾部４５の後側箇所に照射され、この透過装飾部４５が発光する。
【００６０】
ところで、本実施形態の遊技機１は、図１１に示すように、遊技動作を統括的に制御する主制御基板１０１と、この主制御基板１０１からのコマンドに基づいて、画像表示手段２２の表示制御（例えば演出図柄表示手段３５の表示制御など）、可動役物５０の駆動及び発光制御等を行う演出制御基板１０２と、を備えている。
【００６１】
演出制御基板１０２は、図１１に示すように、可動役物５０を構成する第１、第２可動アーム６０，８０を突出姿勢状態（図１０（ｂ）参照）と収納姿勢状態（図１０（ａ）参照）とに変位するためのステッピングモータ７６を駆動制御する駆動制御手段１０３と、第１、第２可動アーム６０，８０の各ＬＥＤ実装基板５３を発光制御する発光制御手段１０４とを備えている。演出制御基板１０２は、画像表示手段２２の表示内容に応じて、収納姿勢状態の可動役物５０を発光制御したり、収納姿勢状態の可動役物５０を突出姿勢状態に変位させるとともに可動役物５０を発光させるように制御したりする。
【００６２】
具体的には、演出制御基板１０２は、主制御基板１０１からのコマンド（演出図柄の変動パターンを指定する変動パターンコマンド）に基づいて、演出図柄を当該変動パターンコマンドに対応する変動パターンで変動表示するように演出図柄表示手段３５を表示制御するとともに、当該変動パターンに対応した駆動内容及び発光内容で可動役物５０を駆動制御及び発光制御する。
【００６３】
発光制御手段１０４は、可動役物５０を収納位置に収納しているときに、例えばＬＥＤ実装基板５３の先端側に配設されたＬＥＤ群５２（例えば８個のＬＥＤ５１）を所定の発光態様（例えば緑色発光）で発光させて中央装飾部４１を後側から光照射するとともに、ＬＥＤ実装基板５３の最基端側のＬＥＤ５１も前記と同様に発光させるように当該ＬＥＤ実装基板５３を制御する。
【００６４】
図１０（ａ）に示すように、可動役物５０が収納位置に収納されているときには、第１可動アーム６０の先端側の第１挿入部６７が中央装飾部４１の後側に位置し、この第１可動アーム６０のＬＥＤ実装基板５３のＬＥＤ群５２からの光（緑色の光）が第１挿入部６７を通じて中央装飾部４１の背面側に照射され、中央装飾部４１が発光した状態（緑色発光）となる。図１０では発光箇所にはハッチングを施している。また、第１可動アーム６０のＬＥＤ実装基板５３の最基端側のＬＥＤ５１が例えば緑色発光し、左部装飾部４３の貫通部４６を介して、第１可動アーム６０の最基端側の第２挿入部６９の緑色発光が視認可能となっている。また、第２可動アーム８０のＬＥＤ実装基板５３の最基端側のＬＥＤ５１が例えば緑色発光し、右部装飾部４４の貫通部４６を介して、第２可動アーム８０の最基端側の第２挿入部８９の緑色発光も視認可能となっている。
【００６５】
また、発光制御手段１０４は、可動役物５０を作動位置に作動させているときに、例えばＬＥＤ実装基板５３の全ＬＥＤ５１を、当該可動役物５０の収納位置での発光態様（緑色発光）とは異なる発光態様（例えば赤色発光）で発光させるように当該ＬＥＤ実装基板５３を制御する。
【００６６】
図１０（ｂ）に示すように、可動役物５０が作動位置にあるときには、第１可動アーム６０の第１挿入部６７及び第２挿入部６９にＬＥＤ実装基板５３のＬＥＤ５１からの赤色光が照射されることによって、第１挿入部６７及び第２挿入部６９が赤色発光するようになっている。また、第１可動アーム６０の最基端側のＬＥＤ５１からの赤色光が左部装飾部４３の透過装飾部４５に照射されることでこの透過装飾部４５が赤色発光している。また、第２可動アーム８０の第２挿入部８９にＬＥＤ実装基板５３のＬＥＤ５１からの赤色光が照射されることによって、第２挿入部８９が赤色発光するようになっている。また、第２可動アーム８０の最基端側のＬＥＤ５１からの赤色光が右部装飾部４４の透過装飾部４５に照射されることでこの透過装飾部４５も赤色発光している。
【００６７】
また、演出制御基板１０２は、画像表示手段２２の表示内容に応じて、所定の音声（声、音楽、効果音など各種の音）を音声出力手段から出力するように制御している。
【００６８】
この実施形態では、所定の画像（演出図柄など）を表示する画像表示手段２２を備えるパチンコ機において、光透過性部材により形成された中央装飾部４１と、内部にＬＥＤ実装基板５３が設けられ、中央装飾部４１の後側に位置する収納位置と画像表示手段２２の前側に位置する作動位置とにわたって移動可能な可動役物５０と、可動役物５０を収納位置に収納しているときにＬＥＤ実装基板５３のＬＥＤ５１を発光させて中央装飾部４１を後側から光照射し、可動役物５０を作動位置に作動させているときにＬＥＤ実装基板５３のＬＥＤ５１を発光させる発光制御手段１０４と、を備えている。
【００６９】
したがって、可動役物５０のＬＥＤ実装基板５３によって当該可動役物５０が発光可能であるだけでなく、中央装飾部４１も発光可能であるので、可動役物５０及び中央装飾部４１に個々に発光手段（ＬＥＤ実装基板５３など）を備える構成に比べて、発光手段（ＬＥＤ実装基板５３など）の部品点数を低減することができる。また、可動役物５０が収納位置に位置する場合には、ＬＥＤ実装基板５３のＬＥＤ５１による光で中央装飾部４１の後側が照射され、当該中央装飾部４１を発光させることができ、可動役物５０が作動位置に位置する場合にはＬＥＤ実装基板５３のＬＥＤ５１を発光させて当該可動役物５０が発光するので、単一のＬＥＤ実装基板５３によって中央装飾部４１及び可動役物５０を発光表示することができ、装飾演出効果を向上させることができる。また、可動役物５０が作動位置に位置する場合には、この可動役物５０が作動位置（画像表示手段２２の前側）で発光し、中央装飾部４１が非発光となっているので、可動役物５０が中央装飾部４１よりも目立ち、非発光の中央装飾部４１ではなく、画像表示手段２２の表示画像と関連して作動される発光態様の可動体に遊技者を注視させることができ、可動体演出をより効果的に実行することができる。
【００７０】
また、発光制御手段１０４は、可動役物５０を収納位置に収納しているときに、ＬＥＤ実装基板５３のＬＥＤ５１を所定の発光態様で発光させて中央装飾部４１を後側から光照射させ、可動役物５０を作動位置に作動させているときに、ＬＥＤ実装基板５３のＬＥＤ５１の発光態様を前記所定の発光態様とは異なる発光態様で発光させるので、可動役物５０が収納位置に位置する場合には、ＬＥＤ実装基板５３のＬＥＤ５１の所定発光態様による光で中央装飾部４１の後側が照射され、当該中央装飾部４１を発光させることができ、可動役物５０が作動位置に位置する場合にはＬＥＤ実装基板５３のＬＥＤ５１を前記所定発光態様とは異なる発光態様で発光して当該可動役物５０が発光するので、単一のＬＥＤ実装基板５３によって中央装飾部４１及び可動役物５０を異なる発光表示態様とすることができ、装飾演出効果をさらに向上させることができる。
【００７１】
また、可動役物５０は、少なくとも先端側にＬＥＤ実装基板５３を備えた第１可動アーム６０と、第１可動アーム６０をその基端側を回転軸心として回動させる回動機構７５と、先端側が第１可動アーム６０の先端側と連結され且つ当該第１可動アーム６０の回動に追動して回動可能な第２可動アーム８０と、第１可動アーム６０の回動に連動して第２可動アーム８０が回動するに際して当該第２可動アーム８０の基端側を摺動可能に支持する摺動支持部９０と、を備えている。よって、第１可動アーム６０がその基端側を回動軸心としてその先端側が回動すると、この第１可動アーム６０の先端側に連結された第２可動アーム８０の先端側が追動するとともに、当該第２可動アーム８０の基端側が摺動支持部９０で摺動支持されているので、第２可動アーム８０もその基端側を変位可能な回動軸心としてその先端側が回動することになる。つまり、可動役物５０を、その第１，第２可動アーム６０，８０の連結側部分が画像表示手段２２の前側に位置する突出姿勢状態と、前記連結側部分が中央装飾部４１の後側に位置する収納姿勢状態とに変位させることができる。また、単一の回動機構７５によって第１，第２可動アーム６０，８０からなる可動役物５０を収納位置と作動位置とに変位することができ、第１，第２可動アーム６０，８０毎に回動機構７５を設ける必要がなく、部品点数を低減することができる。
【００７２】
また、第１可動アーム６０は、当該第１可動アーム６０の前面側に位置する第１アーム飾り６３と、第１アーム飾り６３の先端側の前面箇所に形成された第１貫通部６２ａと、第１貫通部６２ａに挿入される第１挿入部６７を有し且つ第１アーム飾り６３の裏面側に取り付けられる光透過性の頭部飾りレンズ６８とを備え、頭部飾りレンズ６８の第１挿入部６７の背後箇所にＬＥＤ実装基板５３が配設されている。したがって、第１可動アーム６０のＬＥＤ実装基板５３のＬＥＤ５１からの光が頭部飾りレンズ６８に入射され、第１アーム飾り６３の第１貫通部６２ａに挿入された第１挿入部６７から光が出射され、可動役物５０が収納位置にある場合には、この頭部飾りレンズ６８の第１挿入部６７からの出射光が中央装飾部４１の後側に照射され、中央装飾部４１を発光させることができる。また、可動役物５０が作動位置にある場合には、第１可動アーム６０の先端側の前面箇所に形成された、頭部飾りレンズ６８の第１挿入部６７が発光し、中央装飾部４１が非発光となっているので、頭部飾りレンズ６８の第１挿入部６７が中央装飾部４１よりも目立ち、非発光の中央装飾部４１ではなく、画像表示手段２２の表示画像と関連して作動される発光態様の可動役物５０に遊技者を注視させることができ、可動体演出をより効果的に実行することができる。
【００７３】
また、前後方向に開口し且つ画像表示手段２２の表示画面２２ａが位置する装着孔１１ａが形成された遊技盤１１と、遊技盤１１の前側から当該遊技盤１１の装着孔１１ａ箇所に取り付けられる前構造体２１と、遊技盤１１の後側から当該遊技盤１１の装着孔１１ａ箇所に取り付けられる後構造体２３と、を備え、中央装飾部４１は前構造体２１の所定箇所に形成されており、可動役物５０は、後構造体２３に取り付けられている。したがって、遊技盤１１の前側に取り付けられる前構造体２１は、その所定箇所の中央装飾部４１を光透過性部材により形成し、当該中央装飾部４１に発光手段を構成するＬＥＤ実装基板５３やその配線を設けていないので、前構造体２１の遊技盤１１への取り付け作業において配線が可動役物５０に引っかけにように引き回したりすることなく作業することができ、取り付け作業性に優れる。また、後構造体２３に取り付けられる可動役物５０にＬＥＤ実装基板５３を備え、可動役物５０が収納位置に収納されているときには、ＬＥＤ実装基板５３のＬＥＤ５１からの光が前構造体２１の中央装飾部４１の後側に照射され、中央装飾部４１を発光させることができ、可動役物５０が作動位置に作動しているときには、可動役物５０が画像表示手段２２の前側に位置して発光態様とすることができるので、装飾演出効果を向上させることができる。
【００７４】
また、この実施形態では、所定の画像（演出図柄など）を表示する画像表示手段２２を備える遊技機において、光透過性部材により形成された中央装飾部４１と、内部にＬＥＤ実装基板５３が設けられ、中央装飾部４１の後側に位置する収納位置と画像表示手段２２の前側に位置する作動位置とにわたって移動可能な可動役物５０と、を備え、可動役物５０は、ＬＥＤ実装基板５３のＬＥＤ５１からの光を透過する第１挿入部６７と、その第１挿入部６７の周囲に形成され且つ非透過性の頭部外形部６４とを備え、当該可動役物５０が収納位置に収納されているときに、第１挿入部６７が中央装飾部４１の後側に位置するように構成されている。
【００７５】
したがって、可動役物５０のＬＥＤ実装基板５３によって当該可動役物５０が発光可能であるだけでなく、中央装飾部４１も発光可能であるので、可動役物５０及び中央装飾部４１に個々にＬＥＤ実装基板５３を備える構成に比べて、発光手段（ＬＥＤ実装基板５３など）の部品点数を低減することができる。また、可動役物５０が収納位置に位置する場合には、可動役物５０の第１挿入部６７が中央装飾部４１の後側に位置しているので、ＬＥＤ実装基板５３のＬＥＤ５１の光が可動役物５０の第１挿入部６７を透過して中央装飾部４１の後側に照射され、当該中央装飾部４１を発光させることができる。また、可動役物５０は、その第１挿入部６７がＬＥＤ実装基板５３によって発光可能であるので、例えば可動役物５０が作動位置に位置する場合に、当該可動役物５０が発光させることができ、単一のＬＥＤ実装基板５３によって中央装飾部４１及び可動役物５０をそれぞれ発光させることができ、装飾演出効果を向上させることができる。また、可動役物５０は、第１挿入部６７の周囲に頭部外形部６４を形成した構成としているので、第１挿入部６７のみを発光させ、第１挿入部６７の周囲の頭部外形部６４を発光させないようにでき、当該可動役物５０が収納位置にある場合にその第１挿入部６７からの光が中央装飾部４１の後側に照射させることができ、第１挿入部６７の周囲の頭部外形部６４から光が漏れることを低減でき、中央装飾部４１周囲の外部箇所（発光が予定されていない箇所）が漏れ出た光で発光することを低減できる。
【００７６】
また、中央装飾部４１は、その後側に入射された光を拡散させる光拡散部４２を備え、可動役物５０の第１挿入部６７からの光を拡散させて当該中央装飾部４１の前面が発光するものである。したがって、中央装飾部４１は、その後側から入射された光が光拡散部４２で拡散されて、当該中央装飾部４１の前面が発光するので、中央装飾部４１を面状発光させることができる。例えば、中央装飾部４１が可動役物５０の第１挿入部６７を含む大きさで且つ両者が異なる形状とした場合であっても、可動役物５０の第１挿入部６７の形状とは異なる形状の中央装飾部４１を面状発光させることができる。
【００７７】
また、第１可動アーム６０は、その先端側と基端側の前面箇所に、ＬＥＤ実装基板５３を構成する複数のＬＥＤ５１によってそれぞれ発光可能な第１挿入部６７及び第２挿入部６９がそれぞれ形成され、第２可動アーム８０は、その先端側が第１可動アーム６０の先端側と回動可能に連結され且つ基端側の前面箇所にＬＥＤ５１によって発光可能な第２挿入部８９が形成され、中央装飾部４１は、収納位置の第１可動アーム６０の第１挿入部６７が後側に位置しており、中央装飾部４１とは別の左部装飾部４３は、収納位置の第１可動アーム６０の第２挿入部６９が後側に位置し且つ当該第２挿入部６９に対応する形状の透過装飾部４５を有するものであり、中央装飾部４１及び左部装飾部４３とは別の右部装飾部４４は、収納位置の第２可動アーム８０の第２挿入部８９が位置し且つ当該第２挿入部８９に対応する形状の透過装飾部４５を有するものであり、可動役物５０が収納位置に収納されているときには、第１，第２可動アーム６０，８０の各第２挿入部６９，８９が左部装飾部４３，右部装飾部４４の透過装飾部４５に不一致状態でそれぞれ位置し、可動役物５０が作動位置にあるときには、第１，第２可動アーム６０，８０の各第２挿入部６９，８９が左部装飾部４３，右部装飾部４４の透過装飾部４５に一致する状態でそれぞれ位置する。
【００７８】
したがって、可動役物５０が収納位置に収納されているときには、第１，第２可動アーム６０，８０の各第２挿入部６９，８９が左部装飾部４３，右部装飾部４４の透過装飾部４５に不一致状態でそれぞれ位置しているので、左部装飾部４３，右部装飾部４４の透過装飾部４５の一部と当該透過装飾部４５以外の箇所とを発光させることができる。また、可動役物５０が作動位置にあるときには、第１，第２可動アーム６０，８０の各第２挿入部６９，８９が左部装飾部４３，右部装飾部４４の透過装飾部４５に一致する状態でそれぞれ位置しているので、左部装飾部４３，右部装飾部４４の透過装飾部４５全体を発光させることができ、透過装飾部４５を強調して発光させることができる。
【００７９】
また、この実施形態では、所定の画像（演出図柄など）を表示する画像表示手段２２を備える遊技機において、光透過性部材により形成された中央装飾部４１と、複数のＬＥＤ５１を有するＬＥＤ実装基板５３が内部に設けられ、中央装飾部４１の後側に位置する収納位置と画像表示手段２２の前側に位置する作動位置とにわたって移動可能な可動役物５０と、を備え、可動役物５０を収納位置に収納しているときに、複数のＬＥＤ５１のうちの一部の発光部（ＬＥＤ群５２）が中央装飾部４１の後側に位置する。つまり、可動役物５０のＬＥＤ実装基板５３によって当該可動役物５０が発光可能であるだけでなく、中央装飾部４１もＬＥＤ実装基板５３の一部の発光部（ＬＥＤ群５２）によって発光可能であるので、可動役物５０及び中央装飾部４１に個々にＬＥＤ実装基板５３を備える構成に比べて、発光手段（ＬＥＤ実装基板５３など）の部品点数を低減することができる。また、可動役物５０が収納位置に位置する場合には、可動役物５０の複数のＬＥＤ５１のうちの一部の発光部（ＬＥＤ群５２）が中央装飾部４１の後側に位置しているので、当該一部の発光部（ＬＥＤ群５２）の光が中央装飾部４１の後側に照射され、当該中央装飾部４１を発光させることができる。また、可動役物５０は、そのＬＥＤ実装基板５３によって発光可能であるので、例えば可動役物５０が作動位置に位置する場合に、当該可動役物５０が発光させることができ、単一のＬＥＤ実装基板５３によって中央装飾部４１及び可動役物５０をそれぞれ発光させることができ、装飾演出効果を向上させることができる。
【００８０】
また、ＬＥＤ実装基板５３は、一部の発光部（ＬＥＤ群５２）とそれ以外の他の発光部（ＬＥＤ群５２以外のＬＥＤ５１）とをそれぞれ別々に発光制御可能であるので、一部の発光部（ＬＥＤ群５２）のみを発光させたり、他の発光部（ＬＥＤ群５２以外のＬＥＤ５１）のみを発光させたり、全てのＬＥＤ５１を発光させたりすることができ、発光表示バリエーションを増加させることができ、装飾演出効果を向上させることができる。
【００８１】
また、可動役物５０が収納位置に位置する場合には、一部の発光部（ＬＥＤ群５２）を発光させ且つ他の発光部（ＬＥＤ群５２以外のＬＥＤ５１）を発光させないので、可動役物５０において中央装飾部４１に隠れない他の発光部（ＬＥＤ群５２以外のＬＥＤ５１）を発光させずに、当該中央装飾部４１のみを発光させることができる。
【００８２】
また、可動役物５０を作動位置に作動させているとき、つまり、画像表示手段２２の前側に可動役物５０が位置するときに、当該可動役物５０の全てのＬＥＤ５１（一部の発光部（ＬＥＤ群５２）及び他の発光部（ＬＥＤ群５２以外のＬＥＤ５１））を発光させ、中央装飾部４１が非発光となっているので、可動役物５０が中央装飾部４１よりも目立ち、非発光の中央装飾部４１ではなく、画像表示手段２２の表示画像と関連して作動される発光態様の可動役物５０に遊技者を注視させることができ、可動体演出をより効果的に実行することができる。
【００８３】
また、他の発光部（ＬＥＤ群５２以外のＬＥＤ５１）のうちの特定の発光部（基端側から３番目のＬＥＤ５１）は、可動役物５０を収納位置に収納しているときに、当該可動役物５０において中央装飾部４１に隠れない箇所に位置している。したがって、可動役物５０が収納位置にある場合に、可動役物５０の一部の発光部（ＬＥＤ群５２）のみを発光させて中央装飾部４１のみを発光態様としたり、可動役物５０において中央装飾部４１に隠れない箇所に配設された特定の発光部（基端側から３番目のＬＥＤ５１）のみを発光させたり、全てのＬＥＤ５１を発光させて中央装飾部４１と可動役物５０において当該中央装飾部４１に隠れない特定の発光部（基端側から３番目のＬＥＤ５１）とを発光させることができ、可動役物５０が収納位置にある場合の発光表示バリエーションを増加させることができ、装飾演出効果を向上させることができる。
【００８４】
以上、本発明の実施形態について詳述したが、本発明はこれらの実施形態に限定されるものではなく、本発明の趣旨を逸脱しない範囲で種々の変更が可能である。
【００８５】
前述の実施形態では、可動役物５０が作動位置にある状態（図１０（ｂ）に示す可動役物５０の突出姿勢状態）に、当該可動役物５０のＬＥＤ実装基板５３のＬＥＤ５１を発光させているが、この状態の他、可動役物５０が作動位置に移動する過程や作動位置から収納位置に移動する過程においても発光させるようにしてもよいし、可動役物５０が作動位置に移動する過程や作動位置から収納位置に移動する過程のみにおいて発光させるようにしてもよい。
【００８６】
また、前述の実施形態では、可動役物５０が収納位置にあるときにＬＥＤ実装基板５３のＬＥＤ５１を例えば緑色発光させ、可動役物５０を作動位置に作動させているときにＬＥＤ５１を赤色発光させることで、両者の発光色を異なるようにしているが、それ以外の色で異ならせてもよいし、異なる発光態様としては、発光色、発光輝度、点灯パターン又はこれらの組み合わせの少なくとも一つが異なる態様などとすることが挙げられる。
【００８７】
前述の実施形態では、可動役物５０の突出姿勢状態が、第１、第２可動アーム６０，８０がその連結箇所で折れ曲がったＶ字屈曲状態（図１０（ｂ）参照）の場合において、可動役物５０の収納姿勢状態を、Ｖ字屈曲状態とは逆に折れ曲がった逆Ｖ字屈曲状態（図１０（ａ）参照）としているが、この収納姿勢状態を、第１、第２可動アーム６０，８０が直線状となった水平状態や、突出姿勢状態でのＶ字屈曲状態よりも緩やかに折れ曲がった緩やかＶ字屈曲状態（緩屈曲状態）などとしてもよい。また、突出姿勢状態が、第１、第２可動アーム６０，８０が直線状となった水平状態である場合には、収納姿勢状態として、第１、第２可動アーム６０，８０がその連結箇所で折れ曲がった逆Ｖ字屈曲状態が挙げられる。
【００８８】
また、前述の実施形態では、可動役物５０がセンターケース１４の上部側に位置しているが、センターケース１４の下部側に位置するようにしてもよい。この場合には、可動役物５０の突出姿勢状態として逆Ｖ字屈曲状態や水平状態が挙げられ、収納姿勢状態としてＶ字屈曲状態、水平状態、前記逆Ｖ字屈曲状態よりも緩やかな逆Ｖ字屈曲状態などが挙げられる。
【００８９】
また、可動役物５０がセンターケース１４の左部側や右部側に位置するようにしてもよい。例えば、可動役物５０が左部側に位置する場合には、可動役物５０の突出姿勢状態として逆「くの字」屈曲状態や垂直状態が挙げられ、収納姿勢状態としては、「くの字」屈曲状態、垂直状態、前記逆「くの字」屈曲状態よりも緩やかな逆「くの字」屈曲状態などが挙げられる。また、可動役物５０が右部側に位置する場合には、可動役物５０の突出姿勢状態として「くの字」屈曲状態や垂直状態が挙げられ、収納姿勢状態としては、逆「くの字」屈曲状態、垂直状態、前記「くの字」屈曲状態よりも緩やかな「くの字」屈曲状態などが挙げられる。
【００９０】
前述の実施形態では、図１０（ａ）に示すように、可動役物５０が収納位置にあるときに、第１可動アーム６０の先端側のＬＥＤ群５２及び第１、第２可動アーム６０，８０の最基端側のＬＥＤ５１を発光させているが、第１可動アーム６０の先端側のＬＥＤ群５２のみを点灯させ、第１、第２可動アーム６０，８０の最基端側のＬＥＤ５１を消灯させるようにしてもよい。
【００９１】
また、図１２に示すように、可動役物５０を収納位置に収納しているとき及び作動位置に作動させているときに、第１、第２可動アーム６０，８０の全ＬＥＤ５１を発光させるようにしてもよい。
【００９２】
また、図１３（ａ）に示すように、可動役物５０が収納位置に収納されているときには、第１可動アーム６０の最基端側の第２挿入部６９が左部装飾部４３の透過装飾部４５の一部と貫通部４６とに重なる状態で位置し、可動役物５０が作動位置にあるときには、図１３（ｂ）に示すように、第１可動アーム６０の最基端側の第２挿入部６９が左部装飾部４３の透過装飾部４５に一致する状態で位置するようにしてもよい。第２可動アーム８０についてもこれと同様にしてもよい。
【００９３】
この場合には、可動役物５０が収納位置に収納されているときには、第１、第２可動アーム６０，８０の各最基端側の第２挿入部６９，８９（基端側発光部）が左部装飾部４３，右部装飾部４４（第２，第３装飾部）の透過装飾部４５の一部と貫通部４６とに重なる不一致状態でそれぞれ位置しているので、左部装飾部４３，右部装飾部４４の透過装飾部４５の一部が発光するとともに、当該透過装飾部４５の周囲所定箇所の貫通部４６を通して後方位置の第１、第２可動アーム６０，８０の各最基端側の第２挿入部６９，８９の一部が発光する態様を遊技者に見せることができ、前側の左部装飾部４３，右部装飾部４４と後側の可動役物５０とによる奥行き感のある発光態様を提供することができる。また、可動役物５０が作動位置にあるときには、第１、第２可動アーム６０，８０の各最基端側の第２挿入部６９，８９が左部装飾部４３，右部装飾部４４の透過装飾部４５に一致する状態でそれぞれ位置しており、左部装飾部４３，右部装飾部４４の貫通部４６に位置していないので、左部装飾部４３，右部装飾部４４の透過装飾部４５全体を発光させることができ、透過装飾部４５を強調して発光させることができる。
【００９４】
また、透過装飾部４５の例えば裏面側に微小凹凸からなる光拡散部を形成したり、透過装飾部４５を、光拡散粒子を含んだ光透過樹脂成形品により形成したりすることで、透過装飾部４５を当該透過装飾部４５に裏面側に入射された光を拡散させて、この透過装飾部４５全体がより一様に発光するようにしてもよい。
【００９５】
また、前述した実施形態では、センターケース１４の前構造体２１とその後側の可動役物５０との構成において、可動役物５０を収納位置に収納しているときに前構造体２１の中央装飾部４１の背後に位置する可動役物５０からの光照射で当該中央装飾部４１が発光する例を挙げて説明しているが、可動役物５０を収納位置に収納しているときにセンターケース１４の透明区画部材４０又はステージ２６の背後に位置し、収納位置にある可動役物５０からの光照射によってセンターケース１４の透明区画部材４０とステージ２６の少なくとも一方が発光するようにしてもよい。
【００９６】
また、前構造体２１に替えて、可動役物５０とは別体で収納位置にある可動役物５０の前側に位置する第２可動体を採用し、この第２可動体に形成された光透過性装飾部が、収納位置にある可動役物５０からの光照射によって発光する構成を採用してもよい。
【００９７】
前述した実施形態では、可動役物５０として第１、第２可動アーム６０，８０の両先端側を連結した構成（図６参照）を例に挙げて説明しているが、単一アームとするもの、３本以上のアームを連結したもの、複数アームが個別に存在するものの他、アーム以外の構成などとしてもよい。また、可動役物５０の形状及び構造は、本実施形態の形状及び構造に限定されるものではなく、種々の形状や構造を採用してもよい。
【００９８】
前述した実施形態では、第１挿入部６７（透過部）はＬＥＤ実装基板５３からの光（可視光）が透過するものであり、頭部外形部６４（非透過部）、胴部外形部６５，８５は、光（可視光）を一切通さないもの又は殆ど通さないもの（遮光部材）としているが、頭部外形部６４（非透過部）を、第１挿入部６７（第１透過部）に比べて減光量の多い（低発光である）第２透過部（減光部材）としてもよい。また、胴部外形部６５，８５を、透過装飾部４５に比べて減光量の多い（低発光である）第２透過部（減光部材）としてもよい。
【００９９】
前述した実施形態では、演出制御基板１０２は可動役物５０の駆動及び発光制御しているが、主制御基板１０１が可動役物５０の駆動及び発光制御してもよい。
【０１００】
また本発明は、アレンジボール機、雀球遊技機、スロットマシン等の他の遊技機においても同様に実施することが可能である。
【０１０１】
また、上述した複数の実施形態（変形例を含む）のうちいくつかを組み合わせた構成としてもよいし、ある実施形態の一部の手段等（手段、構成、装置、部品、機能、要素、処理ステップ、工程又はこれらの結合）を他の実施形態（いくつかの実施形態を組み合わせたものを含む）に組み合わせた構成としてもよいし、ある実施形態の一部の手段等と他の実施形態における一部の手段等とを組み合わせた構成としてもよいし、ある実施形態の一部の手段等を削除した構成としてもよい。
【符号の説明】
【０１０２】
１１    遊技盤
１１ａ  装着孔（開口部）
２２    画像表示手段
２１    前構造体（枠部材）
２３    後構造体（後側部材）
４１    中央装飾部（装飾部、第１装飾部）
４２    光拡散部
４３    左部装飾部（第２装飾部）
４４    右部装飾部（第３装飾部）
４５    透過装飾部
４６    貫通部
５０    可動役物（可動体）
５１    ＬＥＤ（発光部）
５２    ＬＥＤ群（一部の発光部）
５３    ＬＥＤ実装基板（発光手段）
６０    第１可動アーム（第１アーム）
６２ａ  第１貫通部（被挿入部）
６３    第１アーム飾り（飾り部材）
６４    頭部外形部（非透過部）
６７    第１挿入部（挿入部、先端側発光部、透過部）
６８    頭部飾りレンズ（飾りレンズ）
６９    第２挿入部（基端側発光部）
７５    回動機構（回動手段）
８０    第２可動アーム（第２アーム）
８９    第２挿入部（基端側発光部）
９０    摺動支持部
１０４    発光制御手段
【図１】
0005608196.tif 000002
【図２】
0005608196.tif 000003
【図３】
0005608196.tif 000004
【図４】
0005608196.tif 000005
【図５】
0005608196.tif 000006
【図６】
0005608196.tif 000007
【図７】
0005608196.tif 000008
【図８】
0005608196.tif 000009
【図９】
0005608196.tif 000010
【図１０】
0005608196.tif 000011
【図１１】
0005608196.tif 000012
【図１２】
0005608196.tif 000013
【図１３】
0005608196.tif 000014